(57)【要約】【課題】  レンズに取り付ける際にねじ締結体の締付け力によってレンズが破損するのを防止する。【解決手段】  レンズ２１の前面側に密着した状態で設けられるとともに、レンズ２１の周面の係止溝２２内に係止ピン８が係止される支持部６と、支持部６の上部に先端部が位置するとともに、後端部にテンプルが回動自在に連結される本体部１０と、支持部６と本体部１０とを連結する連結手段と、本体部１０をレンズ２１に固定するねじ締結体１６とを備える。ねじ締結体１６は、本体部１０及びレンズ２１を挿通するねじと、レンズ２１の裏面から突出させたねじの部分にワッシャー１９を介して螺着されるナット２０から構成される。ナット２０をねじに締め付けた際に、締付け力を支持部６の全体に分散させることによりレンズ２１が破損するのを防止する。【選択図】        図２
2006058552.tif 000002
【特許請求の範囲】
【請求項１】
レンズの前面側に密着した状態で設けられるとともに、一部がレンズの周面の一部に係止される支持部と、該支持部の上部に先端部が位置するとともに、後端部にテンプルが回動自在に連結される本体部と、前記支持部と前記本体部とを連結する連結手段と、少なくとも前記本体部を前記レンズに連結するねじ締結体とを備えてなることを特徴とするメガネフレームのヨロイの構造。
【請求項２】
前記連結手段は、前記支持部又は前記本体部の何れか一方に設けられる係合孔と、前記支持部又は前記本体部の何れか他方に設けられるとともに、前記係合孔と相互に係合可能な係合ピンとからなることを特徴とする請求項１に記載のメガネフレームのヨロイの構造。
【請求項３】
前記支持部の一部には係止ピンが一体に設けられるとともに、前記レンズの周面の一部には前記係止ピンを係止させる係止溝が設けられていることを特徴とする請求項１又は２に記載のメガネフレームのヨロイの構造。
【請求項４】
前記支持部は環状又は板状をなしていることを特徴とする請求項１から４の何れかに記載のメガネフレームのヨロイの構造。
【発明の詳細な説明】
【技術分野】
【０００１】
本発明は、メガネフレームのヨロイの構造に関し、特に、ツーポイントタイプのメガネフレームに有効なメガネフレームのヨロイの構造に関する。
【背景技術】
【０００２】
ツーポイントタイプのメガネフレームの一例として、一対のレンズの内端部間を連結するブリッジと、各レンズの外端部に連結されるヨロイと、各ヨロイに蝶番を介して回動自在に連結されるテンプルとを備えたものが知られている。
【０００３】
ブリッジは、棒状をなすものの両端部に固定ピンとネジ部とを設けたものであって、レンズの内端部に設けた第１の孔及び第２の孔内にレンズの表面側から固定ピン及びネジ部を挿通させ、レンズの裏面側に突出させたネジ部の部分にナットを螺合させて締め付けることにより、両レンズの内端部間に連結されている。
【０００４】
また、ヨロイは、Ｌ形状に屈曲させたものの一端部に固定ピンとねじ部とを設けたものであって、レンズの外端部に設けた第１の孔及び第２の孔内にレンズの表面側から固定ピン及びネジ部を挿通させ、レンズの裏面側に突出させたネジ部の部分にナットを螺合させて締め付けることにより、各レンズの外端部に連結されている（例えば、特許文献１参照。）。
【特許文献１】特開２００４−２９８５５号公報
【発明の開示】
【発明が解決しようとする課題】
【０００５】
ところで、上記のような構成のメガネフレームにあっては、各ヨロイを各レンズの外端部に取り付ける場合に、ナットの締付け力がレンズの１箇所に集中するため、ナットをネジ部に強く締め付け過ぎた場合に、レンズが破損する等の問題が生じることがある。このため、レンズの取付けに非常に手間がかかることになる。
【０００６】
また、ヨロイには、蝶番を介してテンプルが回動自在に連結されているため、ヨロイのデザインを替えようとするような場合には、ヨロイのみを替えることができないので、他のメガネフレームを使用しなければならない。
【０００７】
本発明は、上記のような従来の問題を解決したものであって、レンズへの取付けの際に、ナットを強く締め付けてもレンズが破損するようなことがなく、レンズの取付けが容易であるとともに、ヨロイを他のデザインのものに簡単に替えることができるメガネフレームのヨロイの構造を提供することを目的とするものである。
【課題を解決するための手段】
【０００８】
上記のような課題を解決するために、本発明の請求項１に係るメガネフレームのヨロイの構造は、レンズの前面側に密着した状態で設けられるとともに、一部がレンズの周面の一部に係止される支持部と、該支持部の上部に先端部が位置するとともに、後端部にテンプルが回動自在に連結される本体部と、前記支持部と前記本体部とを連結する連結手段と、少なくとも前記本体部を前記レンズに連結するねじ締結体とを備えてなる手段を採用している。
【０００９】
また、本発明の請求項２に係るメガネフレームのヨロイの構造は、請求項１に記載のメガネフレームのヨロイの構造であって、前記連結手段は、前記支持部又は前記本体部の何れか一方に設けられる係合孔と、前記支持部又は前記本体部の何れか他方に設けられるとともに、前記係合孔と相互に係合可能な係合ピンとからなる手段を採用している。
【００１０】
さらに、本発明の請求項３に係るメガネフレームのヨロイの構造は、請求項１又は２に記載のメガネフレームのヨロイの構造であって、前記支持部の一部には係止ピンが一体に設けられるとともに、前記レンズの周面の一部には前記係止ピンを係止させる係止溝が設けられている手段を採用している。
【００１１】
さらに、本発明の請求項４に係るメガネフレームのヨロイの構造は、請求項１から４の何れかに記載のメガネフレームのヨロイの構造であって、前記支持部は環状又は板状をなしている手段を採用している。
【発明の効果】
【００１２】
本発明は、前記のように構成したことにより、本体部をねじ締結体によりレンズに連結した場合に、ねじ締結体による締付け力は支持部の全体に分散されることになるので、締付け力が１箇所に集中してレンズが割れるようなことはなく、レンズの取付けが容易となる。
さらに、本体部は係合孔と係合ピンとからなる連結手段によって支持部に連結されているので、本体部が支持部の上部で所定の位置からずれるようなことはなく、ねじ締結体による締付け力を支持部の全体に確実に分散させることができる。
さらに、支持部は、係止ピンをレンズ側の係止溝に係合させることにより、レンズの前面側の所定の位置に位置決めされることになるので、支持部を介して本体部がレンズに対して相対的にずれるようなことはなく、本体部に連結されるテンプルを所定の位置に確実に位置決めすることができる。
さらに、本体部及び支持部を他のデザインのものと容易に取り替えることができるので、用途に応じてヨロイのみのデザインを替えるような使い方が可能となる。
【発明を実施するための最良の形態】
【００１３】
以下、図面に示す本発明の実施の形態について説明する。
図１〜図３には、本発明によるメガネフレームのヨロイの構造の一実施の形態が示されていて、図１は全体を示す斜視図、図２は図１の部分拡大図、図３は図２の分解図である。
【００１４】
すなわち、この実施の形態に示すメガネフレームのヨロイの構造は、一対のレンズ２１、２１の内端部間に連結されるブリッジ２と、各レンズ２１の外端部に連結されるヨロイ３と、各ヨロイ３に蝶番４を介して回動自在に連結されるテンプル５とからなるツーポイントタイプのメガネフレーム１の前記ヨロイ３に適用したものであって、各レンズ２１の外端部の前面側に設けられる支持部６と、先端部が支持部６に連結されるとともに、後端部に蝶番４を介してテンプル５が回動自在に連結される本体部１０と、本体部１０と支持部６とを連結する連結手段１５と、本体部１０の先端部をレンズ２１側に連結するねじ締結体１６とを備えている。
【００１５】
支持部６は、略長円形板状をなすものの中心部に略長円形状の貫通孔７を設けて環状に形成したものであって、長手方向の一端部の裏面側に円柱状の係止ピン８が垂直に突設されている。
【００１６】
支持部６の表面側の係止ピン８に対応する部分には、係止ピン８よりも小径の円形状の係合孔９が所定の深さで穿設され、この係合孔９と後述する係合ピン１４とによって本体部１０を支持部６に連結する連結手段１５が構成されている。支持部６の表面側の係合孔９の周縁部は、貫通孔７内外を貫通する所定の深さ、幅の段部１２に形成され、この段部１２内に後述する本体部１０側の係合ピン１４の周縁部に設けられている突部（図示せず）が係合するように構成されている。
【００１７】
支持部６は、レンズ２１の外端部の表面側に裏面側を密着させ、この状態で係止ピン８をレンズ２１の外端部の周面の一部に設けたレンズ２１の表裏面間を貫通する断面半円形状の係止溝２２内に係止させることにより、レンズ２１の外端部の表面側の所定の位置に位置決めされる。
【００１８】
本体部１０は、角柱状をなすものを中央部から屈曲させて略Ｌ形状に形成したものであって、先端部にねじ挿通用の孔１１が表裏面間を貫通した状態で設けられている。
【００１９】
本体部１０は、先端部を支持部６の上部に位置し、ねじ挿通用の孔１１の中心を支持部６の貫通孔７の中心に一致させ、この状態で連結手段１５により支持部６に一体に連結される。本体部１０の後端部には蝶番４を介してテンプル５が所定の範囲内（レンズの裏面側とレンズの裏面に直交する位置との間）を回動自在に連結される。
【００２０】
連結手段１５は、本体部１０の先端部の裏面側に垂直に突設される係合ピン１４と、係合ピン１４の周縁部に設けられる突部（図示せず）と、前述した支持部６の係合孔９とから構成される。本体部１０の先端部を支持部６の上部に位置し、この状態で、本体部１０の係合ピン１４を支持部６の係合孔９内に係合させ、突部を段部１２内に係合させることにより、本体部１０が支持部６に一体に連結される。この場合、図示はしないが、本体部１０に係合ピンを２本以上設け、それに対応する支持部６の部分に２つ以上の係合孔を設け、それらの係合ピンと係合孔とを相互に係合させるように構成しても良い。
【００２１】
連結手段１５は、上記の組合せに限らず、支持部６に本体部１０を連結できる構成のものであれば良い。例えば、図示はしないが、本体部１０に設けた係合孔と、この係合孔と相互に係合可能な支持部６に設けた係合ピンとの組合せ、本体部１０又は支持部６の何れか一方に設けた凹部又は凸部と、何れか他方に設けた前記凹部又は凸部と相互に係合可能な凸部又は凹部との組合せ、支持部６と本体部１０とを連結するねじ・ナット等が挙げられる。
【００２２】
ねじ締結体１６は、本体部１０の先端部のねじ挿通用の孔１１、及びそのねじ挿通用の孔１１に対応するレンズ２１の部分に設けられるレンズ２１の表裏面間を貫通するねじ挿通用の孔２３内を挿通するねじ１７と、レンズ２１の裏面側に突出したねじ１７の部分にワッシャー１９を介して螺着されるナット２０とから構成され、ナット２０を所定のトルクで締め付けることにより、本体部１０の先端部がレンズ２１の外端部に連結される。ねじ１７の種類は、特に制限されることはなく、周知の各種のねじを使用することができる。
【００２３】
上記のように構成したこの実施の形態によるメガネフレームのヨロイの構造にあっては、メガネフレーム１にレンズ２１、２１を取り付けた際に、ねじ締結体１６による締付け力がレンズ２１の１箇所に集中するようなことはなく支持部６の全体に分散されることになるので、ねじ締結体１６を強く締め付けてもレンズ２１が破損するようなことはなく、レンズ２１の取付けが容易となる。
【００２４】
さらに、本体部１０は連結手段１５を介して支持部６に連結されているので、本体部１０が支持部６の上部の取付け位置からずれるようなことはなく、ねじ締結体１６の締付け力を支持部６の全体に確実に分散させることができる。
【００２５】
さらに、支持部６の係止ピン８がレンズ２１の周面の係止溝２２に係止されているので、支持部６を介して本体部１０が所定の位置からずれるようなことはなく、本体部１０に蝶番４を介して回動自在に連結されるテンプル５が所定の位置からずれるようなことはなく、良好な装着性が得られることになる。
【００２６】
さらに、本体部１０及び支持部６を取り替えることによって、ヨロイ３のデザインを替えることができるので、用途に応じてヨロイ３のデザインを替えるような使い方が可能となる。
【００２７】
図４には、本発明によるメガネフレームのヨロイの構造の他の実施の形態が示されていて、このメガネフレームのヨロイの構造は、支持部６に係止ピンを設けずに、支持部６の表裏面間を貫通する係合孔９内に本体部１０側の係合ピン１４を係合させ、この係合ピン１４をレンズ２１の係止溝２２内に係止させたものであって、その他の構成は前記実施の形態に示すものと同様である。
【００２８】
そして、この実施の形態に示すものにあっても、前述した実施の形態に示すものと同様に、メガネフレーム１にレンズ２１、２１を取り付けた際に、ねじ締結体１６による締付け力がレンズ２１の１箇所に集中するようなことはなく支持部６の全体に分散されることになるので、ねじ締結体１６を強く締め付けてもレンズ２１が破損するようなことはなく、レンズ２１の取付けが容易となる。
【００２９】
さらに、本体部１０は連結手段１５を介して支持部６に連結されているので、本体部１０が支持部６の上部の取付け位置からずれるようなことはなく、ねじ締結体１６の締付け力を支持部６の全体に確実に分散させることができる。
【００３０】
さらに、本体部１０の係合ピン１４がレンズ２１の周面の係止溝２２に係止されているので、本体部１０が所定の位置からずれるようなことはなく、本体部１０に蝶番４を介して回動自在に連結されるテンプル５が所定の位置からずれるようなことはなく、良好な装着性が得られることになる。
【００３１】
さらに、本体部１０及び支持部６を取り替えることによって、ヨロイ３のデザインを替えることができるので、用途に応じてヨロイ３のデザインを替えるような使い方が可能となる。
【００３２】
なお、前記の説明においては、本発明をツーポイントタイプのメガネフレーム１のヨロイ３に適用したが、レンズ２１、２１の内端部間に取り付けられるブリッジ２に適用しても良いものであり、その場合にもヨロイ３に適用した場合と同様の作用効果を奏するものである。
【図面の簡単な説明】
【００３３】
【図１】本発明によるメガネフレームのヨロイの構造の一実施の形態の全体を示した斜視図である。
【図２】図１の部分拡大図である。
【図３】図２の分解図である。
【図４】本発明によるメガネフレームのヨロイの構造の他の実施の形態を示した分解図である。
【符号の説明】
【００３４】
１  メガネフレーム
２  ブリッジ
３  ヨロイ
４  蝶番
５  テンプル
６  支持部
７  貫通孔
８  係止ピン
９  係合孔
１０  本体部
１１  ねじ挿通用の孔
１２  段部
１４  係合ピン
１５  連結手段
１６  ねじ締結体
１７  ねじ
１８  頭部
１９  ワッシャー
２０  ナット
２１  レンズ
２２  係止溝
２３  ねじ挿通用の孔
【図１】
2006058552.tif 000003
【図２】
2006058552.tif 000004
【図３】
2006058552.tif 000005
【図４】
2006058552.tif 000006